(57)【要約】      （修正有）【課題】包装箱として機能するとともに、ペットハウスとしても機能することが可能な箱体を提供する。【解決手段】包装箱１０ｂとペットハウス１０ａを構成することを可能な箱体１０であって、包装箱１０ｂとしての底部１ａ及びペットハウス１０ａとしての底部１ａを構成する第一部材１と、包装箱１０ｂとしての蓋部２ａ及びペットハウス１０ａとしての蓋部２ａを構成する第二部材２と、折り畳み可能であって包装箱１０ｂとしての中敷３ｂ及びペットハウス１０ａとしての壁部３ａを構成する第三部材３と、を備えたようにした。【選択図】図１
0003207876.tif 000002
【実用新案登録請求の範囲】
【請求項１】
包装箱とペットハウスを構成することが可能な箱体であって、
前記包装箱としての底部及び前記ペットハウスとしての底部を構成する第一部材と、
前記包装箱としての蓋部及び前記ペットハウスとしての蓋部を構成する第二部材と、
折り畳み可能であって前記包装箱としての中敷及び前記ペットハウスとしての壁部を構成する第三部材と、を備えた
ことを特徴とする箱体。
【請求項２】
前記第三部材は、
所定の折り目に沿って折り畳むことで、前記中敷を形成し、
所定の折り目に沿って折り曲げることで、前記ペットハウスの周囲を覆う前記壁部を形成し、
前記壁部によって周囲が覆われない部分をペットの出入口として構成する
ことを特徴とする請求項１に記載の箱体。
【請求項３】
前記第三部材は、所定の領域に沿って切れ込みが施されており、
前記中敷としては、前記切れ込みが施されている所定部分を、被包装物を固定するための固定手段とし、
前記壁部としては、折り曲げることで前記所定部分が抜き出された領域を、ペット用の開口部とする
ことを特徴とする請求項１又は２に記載の箱体。
【請求項４】
前記第一部材は、所定の開口部を設けており、
前記ペットハウスの蓋部としては、前記開口部を介して前記ペットハウスの内部を視認可能であり、
前記包装箱の蓋部としては、前記開口部を介して前記中敷に設けられた被包装物を視認可能である
ことを特徴とする請求項１〜３のいずれか一項に記載の箱体。
【請求項５】
前記壁部である第三部材と前記第一部材及び前記第二部材とを係合させることによって前記ペットハウスを組み立て、
前記第三部材は、折り曲げることで凸部を形成するように切れ込みが施され、
少なくとも前記第一部材と前記第二部材のいずれか一方は、前記凸部を係合可能な凹部を設けている
ことを特徴とする請求項１〜４のいずれか一項に記載の箱体。
【請求項６】
前記ペットハウスは、ペットが猫である場合の内部空間の大きさが、１２，１２２ｃｍ３〜２５，３８２ｃｍ３である
ことを特徴とする請求項１〜５のいずれか一項に記載の箱体。
【請求項７】
前記ペットハウスは、ペットが猫である場合の出入口の大きさが、３１７ｃｍ２〜８０８ｃｍ２である
ことを特徴とする請求項１〜６のいずれか一項に記載の箱体。
【考案の詳細な説明】
【技術分野】
【０００１】
本考案は、箱体に関し、特に、複数の形態を構成することが可能な箱体に関する。
【背景技術】
【０００２】
従来から、猫などのペットが遊ぶ空間を提供するものとして、ダンボールなどの部材を組み立てたペットハウスが知られている。
このようなペットハウスとして、例えば、特許文献１には、狭い空間を好む猫の習性を利用したダンボール箱（箱体）が提案されている。
【先行技術文献】
【特許文献】
【０００３】
【特許文献１】特開２００９−２４７３４２号公報
【考案の開示】
【考案が解決しようとする課題】
【０００４】
しかしながら、この種の箱体は、専らペットハウスとしての機能しか有しておらず、付加価値や購買意欲に欠けるものとなっていた。
また、猫は狭い空間を好む習性があるとはいえ、具体的にどの程度の大きさのペットハウスが好まれるか検証されていない。
【０００５】
本考案は、上記の事情にかんがみなされたものであり、組み立てる前はペットに関する商品の包装箱として機能し、組み立てた後はペットにとって快適なペットハウスとして機能する付加価値の高い箱体の提供を目的とする。
【課題を解決するための手段】
【０００６】
この目的を達成するため、本考案の箱体は、包装箱とペットハウスを構成することを可能な箱体であって、包装箱としての底部及びペットハウスとしての底部を構成する第一部材と、包装箱としての蓋部及びペットハウスとしての蓋部を構成する第二部材と、折り畳み可能であって包装箱としての中敷及びペットハウスとしての壁部を構成する第三部材と、を備えるようにしている。
【考案の効果】
【０００７】
本考案によれば、付加価値の高い箱体を提供することができる。
【図面の簡単な説明】
【０００８】
【図１】本考案の第一実施形態に係る箱体の斜視図であり、（ａ）はペットハウス、（ｂ）は包装箱の各斜視図である。
【図２】本考案の第一実施形態に係る箱体の展開図であり、（ａ）は第一部材、（ｂ）は第二部材、（ｃ）は第三部材の各展開図である。
【図３】本考案の第一実施形態に係る底部の組み立て図である。
【図４】本考案の第一実施形態に係る蓋部の組み立て図である。
【図５】本考案の第一実施形態に係る壁部の組み立て図である。
【図６】本考案の第一実施形態に係るペットハウスの組み立て図である。
【図７】本考案の第一実施形態に係るペットハウスの実施態様を示す図である。
【図８】本考案の第一実施形態に係る中敷の組み立て図である。
【図９】本考案の第一実施形態に係る包装箱の組み立て図である。
【図１０】本考案の第一実施形態に係る包装箱の実施態様を示す図である。
【図１１】本考案の第二実施形態に係る箱体の展開図であり、（ａ）は第一部材、（ｂ）は第二部材、（ｃ）は第三部材の各展開図である。
【図１２】本考案の第二実施形態に係るペットハウスの斜視図である。
【図１３】本考案の第二実施形態に係る箱体において爪とぎ部を用いた実施態様を示す図である。
【図１４】本考案のペットハウスの実施例及び比較例を示した図表である。
【図１５】実施例１〜３及び比較例１のペットハウスにおける、飼い主からみた猫の満足度を示す図表である。
【図１６】実施例１〜３及び比較例１のペットハウスにおける、猫の平均遊び時間を示す図表である。
【図１７】実施例１〜３及び比較例１のペットハウスにおける、飼い主からみたペットハウスに入る際の興味の度合いを示す図表である。
【考案を実施するための形態】
【０００９】
以下、本考案の箱体の実施形態について図面を参照して説明する。
【００１０】
本考案の箱体１０は、図１（ａ），（ｂ）に示すように、２つの形態を有しており、組み立て方によって、猫などのペットが遊ぶ空間を有するペットハウス１０ａ（図１（ａ）参照）や、商品などの被包装物を収容し、包装することが可能な包装箱１０ｂ（図１（ｂ）参照）を形成することができる。
このような本考案の箱体１０は、形態を問わず、底部１ａ及び蓋部２ａとして用いられる第一部材１及び第二部材２と、形態に応じ、壁部３ａ又は中敷３ｂとして用いられる第三部材３と、によって構成されている。
【００１１】
第一部材１及び第二部材２は、ともに矩形状の開放面を有するトレー状部材であり、互いに開放面側を向き合わせて重ねることで薄底の包装箱１０ｂを構成することができる（図１（ｂ）参照）。
第三部材３は、折り曲げたり折り畳むことにより形状を変化させて用いられる。
例えば、所定の折り目に沿って立体的に折り曲げることで、ペットハウス１０ａの周囲を覆う壁部３ａを形成し（図１（ａ）参照）、所定の折り目に沿って折り畳むことで包装箱１０ｂの中敷３ｂを形成することができる（図１（ｂ）参照）。
【００１２】
第一〜第三部材１，２，３は、ダンボールなどのシート状部材からなり、図２（ａ）〜（ｃ）に示すように、これを所定の形状に裁断したものを用いて製作することができる。
【００１３】
第一部材１は、図２（ａ）に示すように、正方形状の底床部１５と、当該底床部１５の各辺において一連に形成された長方形状の側部（第１〜第４側部１１、１２，１３，１４）によって構成されている。
第１〜第４側部１１，１２，１３，１４は、それぞれ外側面、厚み、内側面に対応した３つの領域１６，１７，１８によって構成されている。
このうち第１〜第３側部１１，１２，１３の厚み領域１７の所定箇所には、後記第三部材３（壁部３ａ）の下部片３６を挿入可能な開口部ｈ１を設けている。
また、第３側部１３及び第４側部１４の短手側の両端部には、当該両端部から延出するように形成された舌片１９を設けている。
【００１４】
第二部材２は、図２（ｂ）に示すように、前記底床部１５よりもやや大きい正方形状の天井部２５と、当該天井部２５の各辺において一連に形成された長方形状の側部（第１〜第４側部２１，２２，２３，２４）によって構成されている。
第１〜第４側部２１，２２，２３，２４は、それぞれ外側面、厚み、内側面に対応した３つの領域２６，２７，２８によって構成されている。
各内側面領域２８の縁辺の所定箇所には、後記第三部材３（壁部３ａ）の上部片３７に対応した形状の切欠きｃ２を施している。
また、第３側部２３及び第４側部２４の短手側の両端部には、当該両端部から延出するように形成された舌片２９を設けている。
【００１５】
天井部２５の中央には、所定の円形領域２５ａの円周に沿って切れ込みｃ１が施されている。
具体的には、一部の区間（折り目２０１の部分）を除き、所定の大きさの円周（直径約９０ｍｍ〜１７０ｍｍの円周）に沿って切れ込みｃ１が施されている。
このため、円形領域２５ａの部分は、折り目２０１に沿って折り曲げることで抜き出すことができ、当該抜き出された部分を開口部ｈ２とすることができる。
【００１６】
第三部材３は、図２（ｃ）に示すように、正方形状の後壁部３１と、当該後壁部３１の左辺、右辺及び上辺において一連に形成された正方形状の左壁部３２、右壁部３３及び上壁部３４によって構成されている。
後壁部３１には、複数の円形領域３１ａに対し、それぞれ円周に沿って切れ込みｃ３が施されている。
具体的には、一部の区間（折り目３０１の部分）を除き、所定の大きさの円周（直径約２０ｍｍ〜４０ｍｍの円周）に沿って切れ込みｃ３が施されており、当該切れ込みｃ３の部分をクリップのような挟持手段として用いることができる。
また、円形領域３１ａの部分は、折り目３０１に沿って折り曲げることで抜き出すことができ、当該抜き出した部分を開口部ｈ３とすることができる。
切れ込みｃ３は、上段と下段に互い違いに配置しつつ、上段においては、右側に折り目３０１を設け、下段においては、下側に折り目３０１を設けている。
【００１７】
左壁部３２及び右壁部３３には、それぞれ円形の開口部ｈ４（例えば、直径約７０ｍｍ〜９０ｍｍの円形開口）を設けている。
また、上壁部３４の中央部分には、第二部材２（天井部２５）の円形領域２５ａ（開口部ｈ２）より少し大きい円形の開口部ｈ５を設けている。
後壁部３１並びに左壁部３２及び右壁部３３の下部の所定箇所には、第一部材１（底部１ａ）の開口部ｈ１に挿入可能な下部片３６を設けている。
後壁部３１並びに左壁部３２及び右壁部３３の上部には、上部領域３８を区画する折り目３０２に沿った所定箇所に第二部材２（蓋部２ａ）の切欠きｃ２に対応した形状（矩形状）の切れ込みｃ４を施している。
このような切れ込みｃ４を施すことで、上部領域３８を折り目３０２に沿って折り曲げることによって、切れ込みｃ４により囲まれている矩形状の領域が突出した上部片３７（凸部）として現すことができる。
【００１８】
このような第一〜第三部材１，２，３の組み立て方法について説明する。
第一部材１は、図３（ａ）に示すように、まず、第３側部１３及び第４側部１４を、折り目１３１，１３２，１３３及び折り目１４１，１４２，１４３に沿ってそれぞれ直角に折り曲げ、次に、各舌片１９を、折り目１３４，１３５，１４４，１４５に沿って、それぞれ内側に直角に折り曲げる。
これにより、図３（ｂ）に示すように、第３側部１３及び第４側部１４は、底床部１５から直角に起立し、各舌片１９は、折り目１１１，１２１に沿って底床部１５から直角に起立した状態となる。
【００１９】
次に、第１側部１１及び第２側部１２を、折り目１１１，１１２，１１３及び折り目１２１，１２２，１２３に沿ってそれぞれ直角に折り曲げる。
これにより、各舌片１９は、起立した状態のまま、第１側部１１や第２側部１２に包囲されて挟持される。
このため、第一部材１は、図３（ｃ）に示すように、第１〜第４側部１１，１２，１３，１４が、底床部１５の各辺に沿って起立した状態で固定されて、底部１ａとしての組み立てが完成する。
組み立てられた底部１ａにおいて、第１〜第３側部１１，１２，１３の厚みの部分には、開口部ｈ１が配置される（図３（ｃ）参照）。
【００２０】
第二部材２は、図４（ａ）に示すように、まず、第３側部２３及び第４側部２４を、折り目２３１，２３２，２３３及び折り目２４１，２４２，２４３に沿ってそれぞれ直角に折り曲げ、次に、各舌片２９を、折り目２３４，２３５，２４４，２４５に沿って、それぞれ内側に直角に折り曲げる。
これにより、図４（ｂ）に示すように、第３側部２３及び第４側部２４は、天井部２５から直角に起立し、各舌片２９は、折り目２１１，２２１に沿って天井部２５から直角に起立した状態となる。
【００２１】
次に、第１側部２１及び第２側部２２を、折り目２１１，２１２，２１３及び折り目２２１，２２２，２２３に沿ってそれぞれ直角に折り曲げる。
これにより、各舌片２９は、起立した状態のまま、第１側部２１や第２側部２２に包囲されて挟持される。
このため、第二部材２は、図４（ｃ）に示すように、第１〜第４側部２１，２２，２３，２４が、天井部２５の各辺に沿って起立した状態で固定されて、蓋部２ａとしての組み立てが完成する。
組み立てられた蓋部２ａにおいて、第１〜第４側部２１，２２，２３，２４の内側面の天井部２５側の部分には、切欠きｃ２（凹部）が配置される（図４（ｃ）参照）。
【００２２】
このようにして組み立てられた第一部材１及び第二部材２は、底部１ａ及び蓋部２ａとして、ペットハウス１０ａ及び包装箱１０ｂにおいて共通に用いられるところ、第三部材３は、ペットハウス１０ａにおいては壁部３ａとして用いられ、包装箱１０ｂにおいては中敷３ｂとして用いられる。
以下、第三部材３による壁部３ａの形成方法及び壁部３ａを用いたペットハウス１０ａについて説明し、次に、第三部材３による中敷３ｂの形成方法及び中敷３ｂを用いた包装箱１０ｂについて説明する。
【００２３】
［壁部の形成方法］
壁部３ａの形成方法について、図５を参照して説明する。
図５（ａ）に示すように、まず、第三部材３について、左壁部３２及び右壁部３３を、折り目３１１，３１２及び折り目３１３，３１４に沿って、それぞれ約４５度ずつ折り曲げる。
これにより、図５（ｂ）に示すように、左壁部３２及び右壁部３３は後壁部３１から直角に折り曲げられた状態となる。
次に、左壁部３２及び右壁部３３の各上部領域３８を折り目３０２に沿って内側に直角に折り曲げる。
これにより、図５（ｃ）に示すように、左壁部３２及び右壁部３３の各上部領域３８が水平状態になるとともに、切れ込みｃ４により囲まれる部分が外側に突出して上部片３７が形成される。
続いて、上壁部３４を、折り目３０２に沿って内側に直角に折り曲げる。
これにより、図５（ｄ）に示すように、上壁部３４が水平状態になるととともに、後壁部３１の上部（上壁部３４の下部）に施した切れ込みｃ４に囲まれる部分が外側に突出した上部片３７が形成される。
【００２４】
以上のように、第三部材３を所定の折り目に沿って折り曲げることで所定空間の後面、左側面、右側面、上面を覆いつつ、上面に相当する上壁部３４の各辺には、外側に向けて水平に突出する上部片３７を配置し、後面、左側面、右側面に相当する後壁部３１、左壁部３２、右壁部３３の下部には、各面に沿って下側に向いた下部片３６を配置する形態の壁部３ａを形成することができる。
【００２５】
［ペットハウスの組み立て方法及び作用効果］
ペットハウス１０ａは、図６に示すように、上記のように折り曲げることで形成された壁部３ａと、底部１ａ及び蓋部２ａとによって組み立てることができる。
例えば、まず、底部１ａの上方に上記形態の壁部３ａを配置し、底部１ａの各開口部ｈ１に対し、壁部３ａの各下部片３６を挿入して係合させ、底部１ａの側部上に壁部３ａを取り付け、その後、壁部３ａの上部に蓋部２ａを重ねる。
ここで、下部片３６は、開口部ｈ１に挿入することで、当該開口部ｈ１から抜けにくくなるように根元がくびれた形状が施されている。
このため、上記方法で底部１ａに壁部３ａを取り付けるだけで、当該取り付けた状態が保持される。
また、壁部１ａの上部に蓋部２ａを重ねることで、壁部３ａの上部片３７（凸部）が切欠きｃ２の部分（凹部）に挿入されて係合する。
このため、上記方法で壁部２ａに蓋部２ａを取り付けるだけで、当該取り付けた状態が保持される。
以上のように、壁部３ａと底部１ａ及び蓋部２ａとを、所定の部分を係合させて取り付けるだけで、図１（ａ）や図７に示すペットハウス１０ａを容易に組み立てることができる。
なお、上記手順は一例であり、様々な手順でペットハウス１０ａを組み立てることができる。
例えば、まず、第三部材３（壁部３ａ）の左壁部３２と右壁部３３を直角に折り曲げ（図５（ｂ）参照）、この状態で底部１ａと組み合わせ、次に、第三部材３の上壁部３４等を折り曲げ、最後に、蓋部２ａを重ねることもできる。
【００２６】
このようにして組み立てられたペットハウス１０ａによれば、底部１ａ、蓋部２ａ及び壁部３ａによって周囲が覆われた閉空間（内部空間）を形成しつつ、一部の側面は壁部３ａによって覆われないことで開放するようにしている。
具体的には、壁部３ａは、４つの側面のうち３つの側面を後壁部３１、左壁部３２、右壁部３３によって覆い、一側面については壁部３ａで覆われないようにしている。
このため、壁部３ａによって周囲が覆われている内部空間をペットの遊び場としつつ、壁部３ａによって周囲が覆われない部分を、ペットの出入口として用いることができる。
【００２７】
また、図７に示すように、ペットハウス１０ａの左右の両側面には、ペット用の開口部ｈ４を設けている。
これにより、開口部ｈ４を介してペットハウス１０ａの内部を見ることができ、猫などのペットが好奇心を示す覗き穴として機能させることもできる。
【００２８】
また、上面には、円形領域２５ａの円周に沿って、一部の区間（折り目２０１の部分）を除き、切れ込みｃ１が施されている。
このため、折り目２０１に沿って円形領域２５ａの部分を折り曲げて抜き出すことで、当該抜き出された領域を開口部ｈ２とすることができる。
この円形領域２５ａ（開口部ｈ２）は、壁部３ａの上壁部３４に設けた円形の開口部ｈ５と重なるところ、開口部ｈ５の方が円形領域２５ａ（開口部ｈ２）より少し大きくしてある。
このため、開口部ｈ２（ｈ５）を介してペットハウス１０ａの内部を見ることができ、ペットの覗き穴として用いることもできる。
【００２９】
さらに、後面には、複数の円形領域３１ａに対し、それぞれの円周に沿って、一部の区間（折り目３０１の部分）を除き、切れ込みｃ３が施されている。
このため、折り目３０１に沿って円形領域３１ａの部分を折り曲げて抜き出すことで、当該抜き出された領域をペット用の開口部ｈ３とすることができる。
この開口部ｈ３は、比較的小さいことから、猫じゃらしのようなペット用の玩具や鰹節などのおやつを当該開口部ｈ３から挿入するようにして、ペットハウス１０ａの内部にいるペットと遊ぶコミュニケーション・ツールとして機能させることができる。
【００３０】
［中敷の形成方法］
次に、中敷３ｂの形成方法について、図８を参照して説明する。
図８（ａ）に示すように、まず、第三部材３について、右壁部３３を、折り目３１１，３１２に沿って折り曲げることで、１８０度折り曲げる。
これにより、図８（ｂ）に示すように、右壁部３３が後壁部３１に当接する程度に折り畳むことができる。
次に、左壁部３２を、折り目３１３，３１４に沿って折り曲げることで、１８０度折り曲げる。
これにより、図８（ｃ）に示すように、左壁部３２が右壁部に当接する程度に折り畳むことができる。
なお、上記手順と異なり、左壁部３２を折り畳んだ後に右壁部３３を折り畳むこともできる。
続いて、上壁部３４を、折り目３１５，３１６に沿って折り曲げることで、１８０度折り曲げる。
これにより、図８（ｄ）に示すように、上壁部３４が左壁部３２に当接する程度に折り畳むことができる。
このようにして折り畳まれた第三部材３は反転させ、図８（ｅ）に示すように、後壁部３１を上面に向けたものを、包装箱１０ｂの中敷３ｂとして用いる。
【００３１】
［包装箱の構成及び作用効果］
本考案の包装箱１０ｂは、図９及び図１（ｂ）に示すように、上記のように折り畳むことで形成された中敷３ｂと、底部１ａ及び蓋部２ａとによって構成される。
このため、箱体１０をペットハウス１０ａとして用いないときは、第三部材３を折り畳むことで、コンパクトにすることができる。
すなわち、本考案の箱体１０は、第一〜第三部材１，２，３を組み立てることでペットハウス１０ａとして機能することができる一方、組み立てないときは包装箱１０ｂとして機能することができる。
【００３２】
また、中敷３ｂは、商品を衝撃から守る緩衝材として機能するだけでなく、商品を動かないように固定する固定手段として機能することができる。
例えば、包装箱１０ｂに収容する商品として、パウチ包装のペットフードを中敷３ｂで固定する場合について、図１０（ａ）を参照して説明する。
図１０（ａ）に示すように、中敷３ｂには、複数の円形領域３１ａの円周に沿って折り目３０１の部分を除き、切れ込みｃ３が施されている。
このため、シールされることで縁部が肉薄に形成されているパウチ包装のペットフードについては、当該縁部を切れ込みｃ３にしっかりと挟み込ませることができる。
【００３３】
また、図１０（ａ）に示すように、中敷３ｂには、上段の各円形領域３１ａの部分については右側に切れ込みｃ３が施されておらず、下段の各円形領域３１ａの部分については下側に切れ込みｃ３が施されていない。
このため、上段の各円形領域３１ａの部分によれば、切れ込みｃ３に差し込まれたペットフードを右側へ移動することを阻むことができ、下段の各円形領域３１ａの部分によれば、切れ込みｃ３に差し込まれたペットフードを下側に移動することを阻むことができる。
【００３４】
このように、ペットハウス１０ａでは、ペットとのコミュニケーション・ツールとして用いた後壁部３１における切り込みｃ３の部分を、包装箱１０ｂにおいては、中敷３ｂ上における商品のストッパーとして機能させることができる。
このため、包装箱１０ｂが流通される過程で当該包装箱１０ｂに収容された商品が散乱することを防ぐことができる。
【００３５】
さらに、本実施形態の包装箱１０ｂは、図１０（ｂ）に示すように、蓋部２ａを閉じた場合において、中敷３ｂの所定位置に配置したペットフードの所定領域（例えば、ペットフードの商品名やキャラクターなどの商品の識別情報や宣伝広告情報が配置されている領域）と、蓋部２ａの開口部ｈ２の領域とが重なるようにしている。
このようにすると、蓋部２ａを外すことなく、開口部ｈ２を介して包装箱１０ｂの内部の中敷３ｂに配置された商品を視認することができる。
例えば、包装箱にペットフードを詰め合わせたギフトセットとして販売する場合に、中身のペットフードを見せながら、蓋部２ａを閉じた状態の包装箱１０ｂを陳列棚に並べるなどして販売することができる。
【００３６】
以上のように、本考案の第一実施形態に係る箱体１０によれば、包装箱１０ｂとペットハウス１０ａを構成することを可能な箱体１０であって、包装箱１０ｂとしての底部１ａ及びペットハウス１０ａとしての底部１ａを構成する第一部材１と、包装箱１０ｂとしての蓋部２ａ及びペットハウス１０ａとしての蓋部２ａを構成する第二部材２と、折り畳み可能であって包装箱１０ｂとしての中敷３ｂ及びペットハウス１０ａとしての壁部３ａを構成する第三部材３と、を備えるようにしている。
このため、組み立てる前は包装箱１０ｂとして機能させ、組み立てた後はペットハウス１０ａとして機能させることが可能な箱体の提供することができる。
【００３７】
［第二実施形態］
次に、本考案の第二実施形態に係る箱体について説明する。
図１１（ａ）〜（ｃ）及び図１２に示すように、本考案の第二実施形態に係る箱体１０は、第一〜第三部材１，２，３により構成され、このうち、第一部材１及び第二部材２は、底部１ａ及び蓋部２ａとして構成され、第三部材３は、ペットハウス１０ａの壁部３ａとして構成される点は第一実施形態と共通する。
しかしながら、本考案の第二実施形態の箱体は、第三部材３が４面で構成される点において、第三部材３が３面で構成される第一実施形態とは相違する（図１１（ｃ）、図２（ｃ）等参照）。
すなわち、図１１（ｃ）に示すように、第三部材３は、後壁部３１、左壁部３２、右壁部３３、上壁部３４に加え、前壁部３５を備えている。
また、前壁部３５は、前面の部分的に占める大きさの部材によって形成するようにしている。
このような構成のペットハウス１０ａによれば、図１２に示すように、ペットハウス１０ａの正面についても部分的に壁部３ａ（前壁部３５）が設けられる。
これにより、前面において、前壁部３５によって覆われない部分をペットの出入口とすることができる。
また、ペットの出入口の大きさは、第三部材３の前壁部３５の大きさに応じて変更することができる。
例えば、前壁部３５の幅を前面の総幅の１／２にすることによって、ペットの出入口の面積を前面の総面積の１／２にすることができ、前壁部３５の幅を前面の総幅の１／３にすることによって、ペットの出入口の大きさを前面の総面積の２／３にすることができる。
このため、本考案の第二実施形態に係るペットハウスによれば、第一実施形態と同様の作用効果を有しつつ、これに加え、ペットの出入口の大きさを容易に変更することができる。
なお、本実施形態の箱体１０は、第一実施形態と異なり、後壁部３１に切れ込みｃ３を設けておらず、右壁部３３に開口部ｈ４を設けていないが、第一実施形態と同様の構成とすることもできる（図１１（ｃ），図２（ｃ）参照）。
【００３８】
さらに、本考案の箱体１０は、爪とぎ部ｎを備えることもできる。
以下、第二実施形態の箱体１０が爪とぎ部ｎを備えた場合について、図１３を参照して説明する。
図１３の左上部に示すように、爪とぎ部ｎは、例えば、ダンボールを多数重ねることで形成される断面が多層からなるダンボール部材であって、多層断面からなる表面部分において猫が爪とぎをできるように構成されている。
このような爪とぎ部ｎを底部１ａの内寸に合わせて形成することで、ペットハウスの中に爪とぎ部ｎを設けることができる（図１３の上図参照）。
また、このような爪とぎ部ｎを、底部１ａの内寸に合わせるだけでなく、商品を収容した場合の隙間の形状に合わせて形成することで、包装箱１０ｂに収容した商品が動かないように固定することができる（図１３の下図参照）。
このような構成からなる箱体１０によれば、ペット（猫）にとってさらに好適で興味深いペットハウス１０ａを構成することができ、また、包装箱１０ｂにおいては、流通の過程で当該包装箱１０ｂに収容された商品が散乱することを防ぐことができる。
【実施例】
【００３９】
図１４に示すとおり、入口（ペットの出入口の面積）、奥行、幅、高さ、体積（内部空間の体積）を異ならせてペットハウス１０ａを作成した。
具体的には、入口３１７ｃｍ２、奥行３００ｍｍ、幅３０３ｍｍ、高さ２０３ｍｍ、体積１８，４５３ｃｍ３のペットハウス１０ａを作成し、これを実施例１とした。
また、入口７３５ｃｍ２、奥行３３７ｍｍ、幅２１８ｍｍ、高さ１６５ｍｍ、体積１２，１２２ｃｍ３のペットハウス１０ａを作成し、これを実施例２とした。
また、入口８０８ｃｍ２、奥行３１４ｍｍ、幅３１７ｍｍ、高さ２５５ｍｍ、体積２５，３８２ｃｍ３のペットハウス１０ａを作成し、これを実施例３とした。
さらに、入口２６７ｃｍ２、奥行２１４ｍｍ、幅２１７ｍｍ、高さ１６３ｍｍ、体積７，５６９ｃｍ３のペットハウス１０ａを作成し、これを比較例１とした。
なお、実施例１のペットハウス１０ａは、第一実施形態に係る箱体１０によって構成し、実施例３のペットハウス１０ａは、第二実施形態に係る箱体１０によって構成した。
そして、上記実施例１〜３及び比較例１に係るペットハウスについて、１３匹の成猫を用いて様々な検証を行った。
【００４０】
具体的には、図１５に示すように、飼い主からみた猫の満足度（平均点）を集計した。
この結果、実施例１が２．０点、実施例２が１．６点、実施例３が２．１点、比較例１が１．１点との集計を得た。
また、図１６に示すように、ペットハウスにおける猫の平均遊び時間を集計した。
この結果、実施例１が０．３時間、実施例２が０．１５時間、実施例３が０．８時間、比較例１が０時間との集計を得た。
また、図１７に示すように、飼い主からみたペットハウスに入る際の興味の度合い（平均点）を集計した。
この結果、実施例１が０．６点、実施例２が０．５点、実施例３が０．８点、比較例１が０点との集計を得た。
以上の集計結果に基づき、猫用のペットハウスとしては、出入口の大きさは、３１７ｃｍ２〜８０８ｃｍ２であることが好ましく、内部空間の大きさは、１２，１２２ｃｍ３〜２５，３８２ｃｍ３であることが好ましいとの評価を得た（実施例１〜３参照）。
【００４１】
以上、本考案の箱体１０について、複数の実施形態を示して説明したが、本考案に係る箱体１０は、上述した実施形態に限定されるものではなく、本考案の範囲内において、種々の変更実施が可能であることは言うまでもない。
本考案の箱体１０は、立方体又は直方体を構成するようにしているが、例えば、円筒形など、立体空間を有する様々な形状のものを適用することもできる。
また、底部１ａ及び蓋部２ａは、ともに浅底の半箱体を用いているが、例えば、深底の半箱体や平面部材を適用することもできる。
また、開口部ｈ１〜ｈ５は、円形の開口ではなく、円形以外の様々な形状・大きさの開口を適用することができる。
また、猫以外の動物（例えば、犬、フェレット、鳥等）をペットとして用いることもできる。
また、図１０（ａ）は、便宜上、１つのペットフードを中敷３ｂの中央に配置した一例であり、実際には、複数のペットフードを並べて配置することができる。
【産業上の利用可能性】
【００４２】
本考案は、ペットハウスとして好適に利用することが可能である。
【符号の説明】
【００４３】
１０  箱体
１０ａ  ペットハウス
１０ｂ  包装箱
１  第一部材
１ａ  底部
１１〜１４  第１〜第４側部
１５  底床部
２  第二部材
２ａ  蓋部
２１〜２４  第１〜第４側部
２５  天井部
２５ａ  円形領域
３  第三部材
３ａ  壁部
３ｂ  中敷
３１  後壁部
３１ａ  円形領域
３２  左壁部
３３  右壁部
３４  上壁部
３５  前壁部
３６  下部片
３７  上部片
ｃ１，ｃ３，ｃ４  切れ込み
ｃ２  切欠き
ｈ１〜ｈ５  開口部
【図１】
0003207876.tif 000003
【図２】
0003207876.tif 000004
【図３】
0003207876.tif 000005
【図４】
0003207876.tif 000006
【図５】
0003207876.tif 000007
【図６】
0003207876.tif 000008
【図８】
0003207876.tif 000009
【図９】
0003207876.tif 000010
【図１１】
0003207876.tif 000011
【図１２】
0003207876.tif 000012
【図１４】
0003207876.tif 000013
【図１５】
0003207876.tif 000014
【図１６】
0003207876.tif 000015
【図１７】
0003207876.tif 000016
【図７】
0003207876.tif 000017
【図１０】
0003207876.tif 000018
【図１３】
0003207876.tif 000019